(57)【要約】【課題】脱穀部で脱穀選別処理した穀粒を揚穀筒により揚上搬送してグレンタンクに貯留すると共に、該グレンタンクを後方の縦軸芯中心に収納位置及び開放位置に亘って回動自在に支持したコンバインにおいて、前記グレンタンクを回動させる際、グレンタンクを収納位置にて固定するロック装置と機体との干渉を回避してグレンタンクの容量アップを図る。【解決手段】グレンタンク４の機体外方側からグレンタンク４の内部を通過してグレンタンク４の機体内方側に至る連繋具２３と、該連繋具２３にグレンタンク４の機体外方側で連結する操作具２４と、前記連繋具２３にグレンタンク４の機体内方側で連結する係止具２５と、該係止具２５が係止される前記揚穀筒９に設けた受具２６とによって、当該グレンタンク４を収納位置にて固定する係止手段２１を構成した。【選択図】      図３
2004187543.tif 000002
【特許請求の範囲】
【請求項１】
脱穀部（３）で脱穀選別処理した穀粒を揚穀筒（９）により揚上搬送してグレンタンク（４）に貯留すると共に、該グレンタンク（４）を後方の縦軸芯（Ｙ）中心に収納位置及び開放位置に亘って回動自在に支持したコンバイン（１）において、前記グレンタンク（４）の機体外方側からグレンタンク（４）の内部を通過してグレンタンク（４）の機体内方側に至る連繋具（２３）と、該連繋具（２３）にグレンタンク（４）の機体外方側で連結する操作具（２４）と、前記連繋具（２３）にグレンタンク（４）の機体内方側で連結する係止具（２５）と、該係止具（２５）が係止される前記揚穀筒（９）に設けた受具（２６）とによって、当該グレンタンク（４）を収納位置にて固定する係止手段（２１）を構成したことを特徴とするコンバインのグレンタンク。
【請求項２】
前記連繋具（２３）を、グレンタンク（４）内で機体外方側から機体内方側に亘って橋設した筒状案内部材（２２）に挿通したことを特徴とする請求項１記載のコンバインのグレンタンク。
【発明の詳細な説明】
【０００１】
【発明の属する技術分野】
本発明は、コンバインの脱穀部で脱穀した穀粒を貯留するグレンタンクに関するものである。
【０００２】
【従来の技術】
従来、コンバインに搭載されているグレンタンクは、該グレンタンクと脱穀部との間に配置した伝動装置の点検、及び修理等の作業を容易に行なうことができるように、グレンタンク後方の穀粒排出用の揚穀筒側に回動支点を設けて、グレンタンクを機体の外側方へ回動可能に構成したものがある。
そして、このものにはグレンタンクを機体に固定するために、グレンタンクの前側側板の一方に開閉レバーを連結した揺動杆を回動自由に枢着し、揺動杆の他方に連杆を連結すると共にその連杆の先端部にロック部を枢着して、該ロック部を脱穀部側に設けたロック受具にロックさせるように構成したロック装置を設けている（例えば、特許文献１参照。）。
或いは、グレンタンク内の横送りラセンの回転軸を支点としてグレンタンクを機体の外側方へ倒伏させるように構成したものがある。
そして、このものでは脱穀部の内側壁とグレンタンクの前面壁との間に形成される空間部に揚穀筒を立設して、この剛性の高い揚穀筒頂部にグレンタンクの固定装置を設けたものが知られている（例えば、特許文献２参照。）。
【０００３】
【特許文献１】
特開２００１−６９８４９号公報（第３頁、図１−３図）
【特許文献２】
実開平６−４６４２７号公報（第５−８頁、図２及び４図）
【０００４】
【発明が解決しようとする課題】
しかしながら前者の構成のものは、ロック装置を構成する開閉レバー、揺動杆、連杆、及びロック部をグレンタンクの前側側板に沿って配設するものであり、グレンタンクを機体の外側方へ回動させる際、当該ロック装置と機体との干渉を防止するためにグレンタンクの前側と機体との隙間を充分に確保しなけければならず、それにより必然的にグレンタンクの容量が減少するという欠点を有していた。
また、後者の固定装置によるグレンタンクの固定及びその解除は、揚穀筒頂部に突設させた固定ピンに、グレンタンク上面のブラケットに枢着した固定用フックを係脱することによってなされ、その際、作業者は固定用フックに付設した回動レバーの回動操作を行なわなければならないが、回動レバーは運転席斜め後方の離れた位置に設けられているので操作しづらく、しかも固定装置に近接して穀粒排出オーガの支承装置も配設されており、当該回動レバーを回動操作する時、排出オーガとその支承装置が邪魔になることから作業性に問題があった。
【０００５】
【課題を解決するための手段】
本発明は、上記課題を解決することを目的として創案したものであって、脱穀部で脱穀選別処理した穀粒を揚穀筒により揚上搬送してグレンタンクに貯留すると共に、該グレンタンクを後方の縦軸芯中心に収納位置及び開放位置に亘って回動自在に支持したコンバインにおいて、前記グレンタンクの機体外方側からグレンタンクの内部を通過してグレンタンクの機体内方側に至る連繋具と、該連繋具にグレンタンクの機体外方側で連結する操作具と、前記連繋具にグレンタンクの機体内方側で連結する係止具と、該係止具が係止される前記揚穀筒に設けた受具とによって、当該グレンタンクを収納位置にて固定する係止手段を構成したことを第１の特徴としている。
【０００６】
そして、前記連繋具を、グレンタンク内で機体外方側から機体内方側に亘って橋設した筒状案内部材に挿通したことを第２の特徴としている。
【０００７】
【発明の実施の形態】
本発明の実施形態を以下添付図面に基づいて詳細に説明する。
【０００８】
図１及び図２において、１はコンバインであって、該コンバイン１は、穀稈を刈り取る前処理部２、刈り取った穀稈から穀粒を脱穀し、且つ穀粒の選別を行なう脱穀部３、選別済みの穀粒を貯留するグレンタンク４、脱穀済の排稈を排出処理する後処理部５、クローラ式の走行装置６、各種の操作具が配設される操作部７等で構成されるが、これらの基本的構成は何れも従来通りである。
【０００９】
そして、前記グレンタンク４の前側寄りで、且つ運転席８斜め後方の脱穀部３の内側壁には揚穀筒９が支持された状態で立設してあり、脱穀部３で脱穀選別処理された穀粒を、揚穀筒９により揚上搬送してグレンタンク４に貯留した後、該グレンタンク４の下部に配設した横送り螺旋（図示省略）から排出オーガ１０の縦螺旋筒１０ａを経て、排出オーガ１０の先端にある穀粒排出口１０ｂからトラック等の運搬車の貯留タンクに移送するように構成してある。
【００１０】
また、前記グレンタンク４は、その後方に設けた排出オーガ１０の縦螺旋筒１０ａの縦軸芯Ｙ中心に収納位置及び開放位置に亘り回動動自在に支持されると共に、当該グレンタンク４を収納位置にて固定し得る係止手段２１を図３に示す如く設けている。
【００１１】
即ち、前記係止手段２１は、穀粒の滞留を防ぐため下方に向けて錐体状の形状を有するグレンタンク４の下部に設けてあり、当該係止手段２１は、グレンタンク４内で機体外方側から機体内方側に亘って内側傾斜側壁４ａと略平行に橋設した筒状案内部材２２と、該筒状案内部材２２に挿通し、且つグレンタンク４の機体外方側からグレンタンク４の内部を通過してグレンタンク４の機体内方側に至る連繋具（連杆）２３と、該連繋具２３にグレンタンク４の機体外方側で連結する操作具（操作レバー）２４と、前記連繋具２３にグレンタンク４の機体内方側で連結する係止具（フック）２５と、該係止具２５が係止される前記揚穀筒９に設けた受具（ピン）２６とによって構成してある。
尚、前記連繋具（連杆）２３をワイヤ等で構成してもよく、更に筒状案内部材２２をグレンタンク４に橋設せずに、連繋具２３自体を直接グレンタンク４の内部に通過させるように構成してもよいが、その際、グレンタンク４から穀粒が漏れないように確実なシールを施す必要がある。
【００１２】
そして、前記操作具（操作レバー）２４の回動操作により係止具（フック）２５を連係回動させ、該係止具（フック）２５を揚穀筒９に設けた受具（ピン２６）に係止させることによって、グレンタンク４を収納位置にて固定することができるようになっている。
尚、前記係止具（フック）２５は、グレンタンク４の固定が簡単に解除されることのないように常時ばね（図示省略）付勢されている。
【００１３】
上述した構成によるグレンタンク４の収納位置における固定及びその解除を行なう係止手段２１によって、排出オーガ１０の縦螺旋筒１０ａの縦軸芯Ｙ中心にグレンタンク４を機体の外側方へ回動させる際、当該係止手段２１が機体と干渉することがなくなり、それによってグレンタンク４の前側部分の容量アップを図ることができる。
更に、前記筒状案内部材２２をグレンタンク４に固着することによって、薄板で形成されているグレンタンク４の剛性も向上させることができる。
また、前記係止手段２１によるグレンタンク４の固定及びその解除は、機体外方側に設けられた操作具（操作レバー）２４によって容易に行なえることから作業性がよくなる。
【００１４】
上述した実施形態では、グレンタンク４の係止手段２１を構成する筒状案内部材２２を、グレンタンク４下部の内側傾斜側壁４ａと略平行に橋設したものを例示したが、当該筒状案内部材２２を橋設する位置及びその取付け角度等は、操作具（操作レバー）２４の操作性やグレンタンク４の剛性向上を考慮して決定すればよい。
【００１５】
また、図４及び図５は、前記グレンタンク４内の略中間部に設けられている補強部材の取付け状態を示したものであって、グレンタンク４の内周には山形状断面を有する補強枠３１ａ，３１ｂ，３１ｃ，３１ｄが設けられると共に、該補強枠３１ａ，３１ｂ，３１ｃ，３１ｄの四隅には棒状の補強梁３２ａ，３２ｂ，３２ｃ，３２ｄを固着し、更には前記補強枠３１ｃと３１ｄとを結ぶ板状の補強梁３３ａと、補強枠３１ａと３１ｂとを結ぶ板状の補強梁３３ｂが設けられている。
【００１６】
そして、上述した係止手段２１を構成する係止具（フック）２５の回動支点Ｐを設けたブラケット４１を、前記補強枠３１ｄと略同一高さに設けることによって、当該ブラケット４１の強固な支持構造を形成している。
【００１７】
【発明の効果】
以上説明したように本発明は、脱穀部３で脱穀選別処理した穀粒を揚穀筒９により揚上搬送してグレンタンク４に貯留すると共に、該グレンタンク４を後方の縦軸芯Ｙ中心に収納位置及び開放位置に亘って回動自在に支持したコンバイン１において、前記グレンタンク４の機体外方側からグレンタンク４の内部を通過してグレンタンク４の機体内方側に至る連繋具２３と、該連繋具２３にグレンタンク４の機体外方側で連結する操作具２４と、前記連繋具２３にグレンタンク４の機体内方側で連結する係止具２５と、該係止具２５が係止される前記揚穀筒９に設けた受具２６とによって、当該グレンタンク４を収納位置にて固定する係止手段２１を構成したので、グレンタンク４を機体の外側方へ回動させる際、当該係止手段２１が機体と干渉することがなくなり、それによってグレンタンク４の前側部分の容量アップを図ることができ、更に前記係止手段２１によるグレンタンク４の固定及びその解除は、機体外方側に設けられた操作具２４によって容易に行なえることから作業性がよくなる。
【００１８】
そして、前記連繋具２３を、グレンタンク４内で機体外方側から機体内方側に亘って橋設した筒状案内部材２２に挿通したことによって、薄板で形成されているグレンタンク４の剛性を向上させることができる。
【図面の簡単な説明】
【図１】コンバインの全体側面図である。
【図２】同上全体平面図である。
【図３】グレンタンクの周辺構成を示す一部省略正面図である。
【図４】グレンタンクの内部構成を一部省略正断面図である。
【図５】図４におけるＡ矢視図である。
【符号の説明】
１      コンバイン
３      脱穀部
４      グレンタンク
９      揚穀筒
２１    係止手段
２２    筒状案内部材
２３    連繋具
２４    操作具
２５    係止具
２６    受具
Ｙ      縦軸芯
【図１】
2004187543.tif 000003
【図２】
2004187543.tif 000004
【図３】
2004187543.tif 000005
【図４】
2004187543.tif 000006
【図５】
2004187543.tif 000007